(57)【特許請求の範囲】
【請求項１】
画像形成装置本体の上部に原稿の画像を読み取る画像読取手段を備えるとともに、前記画像形成装置本体と前記画像読取手段とで形成される胴体内部に記録媒体積載部を有し、且つ、前記画像形成装置本体に隣接して、当該画像形成装置本体で画像が形成された記録媒体を、前記胴体内部に設けられた前記記録媒体を搬送する搬送部材と当該搬送部材によって搬送される記録媒体に沿って形成された搬送経路とを有する搬送ユニットを介して前記画像形成装置本体から後処理装置に搬送して所定の後処理を施す後処理装置を設置した画像形成装置において、
前記搬送ユニットの搬送経路に沿って吸引用のダクトを配置するとともに、前記吸引用ダクトの前記搬送ユニットの搬送経路側に複数の開口を設け、
且つ、前記吸引用ダクトに設けられた複数の開口に対して、前記記録媒体の搬送方向に沿った下流側にフィルターと吸引排気手段を配置したことを特徴とする画像形成装置。
【請求項２】
前記搬送ユニットの上面に吸気口を設け、当該吸気口から搬送ユニット内の空気を吸引することを特徴とする請求項１に記載の画像形成装置。
【請求項３】
前記搬送ユニットの上方に位置する記録媒体排出部、または、記録媒体反転部の空気を、搬送ユニット内の空気と同一の吸気口から吸引することを特徴とする請求項２に記載の画像形成装置。
【請求項４】
前記搬送ユニットの下面に吸気口を設け、当該吸気口から搬送ユニット内の空気を吸引することを特徴とする請求項１に記載の画像形成装置。
【請求項５】
前記搬送ユニットの下方に位置する記録媒体排出部、または、記録媒体反転部の空気を、搬送ユニット内の空気と同一の吸気口から吸引することを特徴とする請求項４に記載の画像形成装置。
【請求項６】
前記搬送ユニットの後方から当該搬送ユニット内の空気を吸引することを特徴とする請求項１に記載の画像形成装置。
【請求項７】
前記搬送ユニットに排気ファンとフィルターを設置し、当該搬送ユニット内の空気をフィルターを通して排気することを特徴とする請求項１に記載の画像形成装置。
【請求項８】
前記フィルターは、脱臭能力と、揮発性有機化合物の吸着または分解能力と、オゾンの吸着または分解能力のうち、少なくとも２つの能力を兼ね備えていることを特徴とする請求項１に記載の画像形成装置。
【請求項９】
前記フィルターは、脱臭のためのフィルターと、揮発性有機化合物の吸着または分解のためのフィルターと、オゾンの吸着または分解能力のためのフィルターのうち、少なくとも２つのフィルターから構成されていることを特徴とする請求項１に記載の画像形成装置。
【請求項１０】
前記吸引排気手段を画像形成動作が終了した後も一定時間だけ駆動するように構成したことを特徴とする請求項１に記載の画像形成装置。
【発明の詳細な説明】
【技術分野】
【０００１】
この発明は、電子写真方式を採用した複写機やプリンタ、あるいはファクシミリ、更にはこれらの機能を兼ね備えた複合機等の画像形成装置に関し、特に、用紙等の記録媒体を排出する排出部から装置の外部に排気される異臭やＶＯＣを低減することが可能な画像形成装置に関するものである。
【背景技術】
【０００２】
【特許文献１】特開２００４−２４０２７０号公報
【特許文献２】特開２００５−１２６１９１号公報
【０００３】
従来、この種の電子写真方式を採用した複写機やプリンタ、あるいはファクシミリ、更にはこれらの機能を兼ね備えた複合機等の画像形成装置では、感光体ドラム上に画像情報に応じた静電潜像を形成し、当該感光体ドラム上に形成された静電潜像をトナーによって顕像化することによりトナー像とし、このトナー像を用紙上に転写した後、定着装置によって熱及び圧力で未定着トナー像を用紙上に定着することにより、画像を形成するように構成されている。
【０００４】
ところで、最近、上記画像形成装置では、トナーを定着装置により加熱溶融し、用紙上に定着する際に発生する物質によって異臭が放出され、当該異臭が機外に排出されて、ユーザーに不快感を与えることが問題となってきている。
【０００５】
また、上記画像形成装置では、トナーを定着装置により加熱溶融して、用紙上に定着する際に、揮発性の有機化合物であるＶＯＣ（Volitile  Organic   Compound）が発生し、装置が設置されている環境に対して悪影響を与えることも問題となってきている。
【０００６】
そこで、かかる問題点を解決し得る技術としては、例えば、特開２００４−２４０２７０号公報等に開示されているものが既に提案されている。
【０００７】
この特開２００４−２４０２７０号公報に係る画像形成装置は、装置内で発生する揮発性有機化合物を含む空気を、ガス除去手段を介して装置外部に排出する構成の画像形成装置において、前記ガス除去手段は、排気ファンと、当該排気ファンの下流位置に近接して設けた、粉末活性炭入り、かつ、複数の管状排風路を有する構造のフィルタとを含むように構成したものである。
【０００８】
しかしながら、上記特開２００４−２４０２７０号公報に係る画像形成装置の場合には、装置内で発生する揮発性有機化合物を含む空気を、ガス除去手段によって一部を除去することが可能であるものの、臭気は用紙と共に装置の外部に排出されてしまうため、異臭が用紙によって装置外に排出されるのを、効果的に防止することができないという問題点を有していた。
【０００９】
また、上記特開２００４−２４０２７０号公報に係る画像形成装置の場合には、用紙上に定着された直後のトナーや稀れに付着するキャリアから発生する臭気や揮発性有機化合物を除去することができず、装置の外部に排出された用紙から臭気や揮発性有機化合物が放出されるのを回避することができないという問題点を有していた。
【００１０】
そこで、かかる問題点を解決し得る技術としては、特開２００５−１２６１９１号公報等に開示されたものが既に提案されている。
【００１１】
この特開２００５−１２６１９１号公報に係る画像形成装置は、シートに画像を形成する画像形成装置において、排出部に排出されたシート近傍領域のエアーを装置本体内に吸引する吸気手段を有するように構成したものであり、前記吸気手段としては、例えば、所定の化学物質を分解し得るフィルタを介してエアーを装置本体内に吸引するように構成したものが用いられる。
【発明の開示】
【発明が解決しようとする課題】
【００１２】
しかしながら、上記従来技術の場合には、次のような問題点を有している。すなわち、上記特開２００５−１２６１９１号公報に係る画像形成装置の場合には、シートに画像を形成する画像形成装置において、排出部に排出されたシート近傍領域のエアーを装置本体内に吸引する吸気手段を有するように構成したものであり、装置本体に吸気手段を構成する吸気ファンやダクト、あるいはフィルターを設置するスペースを設ける必要がある。
【００１３】
しかし、通常、上記画像形成装置の装置本体には、その排紙部の上方に相当する部分に、定着装置や用紙搬送経路、あるいは用紙搬送経路を切り替えるゲート部材などが配設されているため、大きなスペースを採ることが困難であり、吸気ファンやフィルターなどを効率良く設置することができず、臭気や揮発性有機化合物の除去効果を十分得ることができないという問題点を有していた。
【００１４】
特に、上記画像形成装置本体に隣接して、当該画像形成装置本体で画像が形成された記録媒体に対して所定の後処理を施す後処理装置を設置した画像形成装置においては、画像形成装置本体の用紙排出部と後処理装置とを連結する用紙走行部から、臭気や揮発性有機化合物が漏れてしまい、設置環境に悪影響を与えるという問題点を有していた。
【００１５】
そこで、この発明は、上記従来技術の問題点を解決するためになされたものであり、その目的とするところは、装置本体に対して後処理装置を併設した画像形成装置において、装置本体から後処理装置へ記録媒体を搬送する搬送ユニットから臭気や揮発性有機化合物が外部に漏れるのを防止し、設置環境に悪影響を与えるのを回避することが可能な画像形成装置を提供することにある。
【課題を解決するための手段】
【００１６】
上記の課題を解決するため、請求項１に記載された発明は、画像形成装置本体の上部に原稿の画像を読み取る画像読取手段を備えるとともに、前記画像形成装置本体と前記画像読取手段とで形成される胴体内部に記録媒体積載部を有し、且つ、前記画像形成装置本体に隣接して、当該画像形成装置本体で画像が形成された記録媒体を、前記胴体内部に設けられた前記記録媒体を搬送する搬送部材と当該搬送部材によって搬送される記録媒体に沿って形成された搬送経路とを有する搬送ユニットを介して前記画像形成装置本体から後処理装置に搬送して所定の後処理を施す後処理装置を設置した画像形成装置において、
前記搬送ユニットの搬送経路に沿って吸引用のダクトを配置するとともに、前記吸引用ダクトの前記搬送ユニットの搬送経路側に複数の開口を設け、
且つ、前記吸引用ダクトに設けられた複数の開口に対して、前記記録媒体の搬送方向に沿った下流側にフィルターと吸引排気手段を配置したことを特徴とする画像形成装置である。
【００１７】
また、請求項２に記載された発明は、前記搬送ユニットの上面に吸気口を設け、当該吸気口から搬送ユニット内の空気を吸引することを特徴とする請求項１に記載の画像形成装置である。
【００１８】
さらに、請求項３に記載された発明は、前記搬送ユニットの上方に位置する記録媒体排出部、または、記録媒体反転部の空気を、搬送ユニット内の空気と同一の吸気口から吸引することを特徴とする請求項２に記載の画像形成装置である。
【００１９】
又、請求項４に記載された発明は、前記搬送ユニットの下面に吸気口を設け、当該吸気口から搬送ユニット内の空気を吸引することを特徴とする請求項１に記載の画像形成装置である。
【００２０】
更に、請求項５に記載された発明は、前記搬送ユニットの下方に位置する記録媒体排出部、または、記録媒体反転部の空気を、搬送ユニット内の空気と同一の吸気口から吸引することを特徴とする請求項４に記載の画像形成装置である。
【００２１】
また、請求項６に記載された発明は、前記搬送ユニットの後方から当該搬送ユニット内の空気を吸引することを特徴とする請求項１に記載の画像形成装置である。
【００２２】
さらに、請求項７に記載された発明は、前記搬送ユニットに排気ファンとフィルターを設置し、当該搬送ユニット内の空気をフィルターを通して排気することを特徴とする請求項１に記載の画像形成装置である。
【００２３】
又、請求項８に記載された発明は、前記フィルターは、脱臭能力と、揮発性有機化合物の吸着または分解能力と、オゾンの吸着または分解能力のうち、少なくとも２つの能力を兼ね備えていることを特徴とする請求項１に記載の画像形成装置である。
【００２４】
更に、請求項９に記載された発明は、前記フィルターは、脱臭のためのフィルターと、揮発性有機化合物の吸着または分解のためのフィルターと、オゾンの吸着または分解能力ののためのフィルターのうち、少なくとも２つのフィルターから構成されていることを特徴とする請求項１に記載の画像形成装置である。
【００２５】
また、請求項１０に記載された発明は、前記吸引排気手段を画像形成動作が終了した後も一定時間だけ駆動するように構成したことを特徴とする請求項１に記載の画像形成装置である。
【発明の効果】
【００２６】
この発明によれば、装置本体に対して後処理装置を併設した画像形成装置において、装置本体から後処理装置へ記録媒体を搬送する搬送ユニットから臭気や揮発性有機化合物が外部に漏れるのを防止し、設置環境に悪影響を与えるのを回避することが可能な画像形成装置を提供することができる。
【発明を実施するための最良の形態】
【００２７】
以下に、この発明の実施の形態について図面を参照して説明する。
【００２８】
実施の形態１
図２はこの発明の実施の形態１に係る画像形成装置としてのカラー複合機を示す構成図である。なお、このカラー複合機は、複写機やプリンタ、あるいはファクシミリとしての機能を兼ね備えている。
【００２９】
このカラー複合機は、図２に示すように、その上部に画像読取装置としてのスキャナユニット３を備えているとともに、図示しないネットワークを介して図示しないパーソナルコンピュータ等を接続されている。
【００３０】
そして、上記カラー複合機は、スキャナユニット３で読み取った文書の画像を複写したり、パーソナルコンピュータから送られてきた画像データに基づいてプリントしたり、電話回線を介して画像データを送受信するファックスとして機能するようになっている。
【００３１】
図２において、１はカラー複合機の本体を示すものであり、このカラー複合機本体１の上部には、図示しない原稿を一枚ずつ分離した状態で自動的に搬送する自動原稿搬送装置（ＡＤＦ）２と、当該自動原稿搬送装置２によって搬送される原稿の画像を読み取るスキャナユニット３が配設されている。上記スキャナユニット３は、プラテンガラス４上に載置された原稿を光源５によって照明し、原稿からの反射光像を、フルレートミラー６及びハーフレートミラー７、８及び結像レンズ９からなる縮小光学系１１を介してＣＣＤ等からなる画像読取素子１０上に走査露光して、この画像読取素子１０によって原稿の色材反射光像を所定のドット密度（例えば、１６ドット／ｍｍ）で読み取るようになっている。
【００３２】
上記スキャナユニット３によって読み取られた原稿の反射光像は、例えば、赤（Ｒ）、緑（Ｇ）、青（Ｂ）（各８ｂｉｔ）の３色の反射率データとして図示しない画像処理装置（ＩＰＳ）に送られ、この画像処理装置では、原稿の画像データに対して、必要に応じて、シェーデイング補正、位置ズレ補正、明度／色空間変換、ガンマ補正、枠消し、色／移動編集等の処理を含め、後述するように所定の画像処理が施される。また、この画像処理装置は、図示しないパーソナルコンピュータ等から送られてくる画像データに対しても、所定の画像処理を行なうようになっている。
【００３３】
そして、上記画像処理装置で所定の画像処理が施された画像データは、同じく画像処理装置によって、イエロー（Ｙ）、マジェンタ（Ｍ）、シアン（Ｃ）、ブラック  （Ｋ）  （各８ビット）の４色の階調データに変換され、次に述べるように、イエロー（Ｙ）、マジェンタ（Ｍ）、シアン（Ｃ）、ブラック（Ｋ）の各色の画像形成ユニット１３Ｙ、１３Ｍ、１３Ｃ、１３Ｋに共通するＲＯＳ（ＲａｓｅｒＯｕｔｐｕｔＳｃａｎｎｅｒ）１４に送られ、この画像露光装置としてのＲＯＳ１４では、所定の色の階調データに応じてレーザ光ＬＢによる画像露光が行われる。なお、カラー画像に限らず、白黒の画像のみを形成しても勿論良い。
【００３４】
ところで、上記カラー複合機本体１の内部には、図２に示すように、画像形成手段Ａが配設されており、この画像形成手段Ａには、イエロー（Ｙ）、マジェンタ（Ｍ）、シアン（Ｃ）、ブラック（Ｋ）の４つの画像形成ユニット１３Ｙ、１３Ｍ、１３Ｃ、１３Ｋが、水平方向に一定の間隔をおいて並列的に配置されている。
【００３５】
これらの４つの画像形成ユニット１３Ｙ、１３Ｍ、１３Ｃ、１３Ｋは、すべて同様に構成されており、大別して、所定の速度で回転駆動される像担持体としての感光体ドラム１５と、この感光体ドラム１５の表面を一様に帯電する一次帯電用の帯電ロール１６と、当該感光体ドラム１５の表面に所定の色に対応した画像を露光して静電潜像を形成する画像露光装置としてのＲＯＳ１４と、感光体ドラム１５上に形成された静電潜像を所定の色のトナーで現像する現像器１７と、感光体ドラム１５の表面を清掃するクリーニング装置１８とから構成されている。これらの感光体ドラム１５と周辺に配置される画像形成部材は、一体的にユニット化されており、カラ―複合機本体１から個別に交換可能に構成されている。
【００３６】
上記ＲＯＳ１４は、図２に示すように、４つの画像形成ユニット１３Ｙ、１３Ｍ、１３Ｃ、１３Ｋに共通に構成されており、図示しない４つの半導体レーザを各色の階調データに応じて変調して、これらの半導体レーザからレーザ光ＬＢ−Ｙ、ＬＢ−Ｍ、ＬＢ−Ｃ、ＬＢ−Ｋを階調データに応じて出射するように構成されている。なお、上記ＲＯＳ１４は、複数の画像形成ユニット毎に個別に構成しても勿論よい。上記半導体レーザから出射されたレーザ光ＬＢ−Ｙ、ＬＢ−Ｍ、ＬＢ−Ｃ、ＬＢ−Ｋは、図示しないｆ−θレンズを介してポリゴンミラー１９に照射され、このポリゴンミラー１９によって偏向走査される。上記ポリゴンミラー１９によって偏向走査されたレーザ光ＬＢ−Ｙ、ＬＢ−Ｍ、ＬＢ−Ｃ、ＬＢ−Ｋは、図示しない結像レンズ及び複数枚のミラーを介して、感光体ドラム１５上の露光ポイントに、斜め下方から走査露光される。
【００３７】
上記ＲＯＳ１４は、図２に示すように、下方から感光体ドラム１５上に画像を走査露光するものであるため、このＲＯＳ１４には、上方に位置する４つの画像形成ユニット１３Ｙ、１３Ｍ、１３Ｃ、１３Ｋの現像器１７などからトナー等が落下して、汚損される虞れを有している。そのため、ＲＯＳ１４は、その周囲が直方体状のフレーム２０によって密閉されているとともに、当該フレーム２０の上部には、４本のレーザ光ＬＢ−Ｙ、ＬＢ−Ｍ、ＬＢ−Ｃ、ＬＢ−Ｋを、各画像形成ユニット１３Ｙ、１３Ｍ、１３Ｃ、１３Ｋの感光体ドラム１５上に露光するため、シールド部材としての透明なガラス製のウインドウ２１Ｙ、２１Ｍ、２１Ｃ、２１Ｋが設けられている。
【００３８】
上記画像データ処理装置からは、イエロー（Ｙ）、マジェンタ（Ｍ）、シアン（Ｃ）、ブラック（Ｋ）の各色の画像形成ユニット１３Ｙ、１３Ｍ、１３Ｃ、１３Ｋに共通して設けられたＲＯＳ１４に、各色の画像データが順次出力され、このＲＯＳ１４から画像データに応じて出射されたレーザ光ＬＢ−Ｙ、ＬＢ−Ｍ、ＬＢ−Ｃ、ＬＢ−Ｋは、対応する感光体ドラム１５の表面に走査露光され、静電潜像が形成される。上記感光体ドラム１５上に形成された静電潜像は、現像器１７Ｙ、１７Ｍ、１７Ｃ、１７Ｋによって、それぞれイエロー（Ｙ）、マジェンタ（Ｍ）、シアン（Ｃ）、ブラック（Ｋ）の各色のトナー像として現像される。
【００３９】
上記各画像形成ユニット１３Ｙ、１３Ｍ、１３Ｃ、１３Ｋの感光体ドラム１５上に、順次形成されたイエロー（Ｙ）、マジェンタ（Ｍ）、シアン（Ｃ）、ブラック（Ｋ）の各色のトナー像は、各画像形成ユニット１３Ｙ、１３Ｍ、１３Ｃ、１３Ｋの上方にわたって配置された転写ユニット２２の無端状ベルト部材としての中間転写ベルト２５上に、４つの一次転写ロール２６Ｙ、２６Ｍ、２６Ｃ、２６Ｋによって多重に転写される。これらの一次転写ロール２６Ｙ、２６Ｍ、２６Ｃ、２６Ｋは、各画像形成ユニット１３Ｙ、１３Ｍ、１３Ｃ、１３Ｋの感光体ドラム１５に対応した中間転写ベルト２５の裏面側に配設されている。この実施の形態における一次転写ロール２６Ｙ、２６Ｍ、２６Ｃ、２６Ｋの体積抵抗値は、１０5 〜１０8 Ωｃｍに抵抗調整されたものを使用している。そして、一次転写ロール２６Ｙ、２６Ｍ、２６Ｃ、２６Ｋには、転写バイアス電源（図示しない）が接続されており、所定のトナー極性とは逆極性（本実施の形態では正極性）の転写バイアスが所定のタイミングで印加されるようになっている。
【００４０】
また、上記中間転写ベルト２５は、図２に示すように、ドライブロール２７と、テンションロール２４と、バックアップロール２８との間に一定のテンションで掛け回されており、図示しない定速性に優れた専用の駆動モーターによって回転駆動されるドライブロール２７により、矢印方向に所定の速度で循環駆動されるようになっている。上記中間転写ベルト２５は、例えば、チャージアップを起こさないべルト素材（ゴムまたは樹脂）にて構成されている。
【００４１】
上記中間転写ベルト２５上に多重に転写されたイエロー（Ｙ）、マジェンタ（Ｍ）、シアン（Ｃ）、ブラック（Ｋ）の各色のトナー像は、図２に示すように、バックアップロール２８に圧接する二次転写ロール２９によって、記録媒体としての用紙３０上に二次転写され、これらの各色のトナー像が転写された用紙３０は、上方に位置する定着装置４０へと搬送される。上記二次転写ロール２９は、バックアップロール２８の側方に圧接しており、下方から上方に搬送される用紙３０上に、各色のトナー像を二次転写するようになっている。
【００４２】
上記用紙３０は、カラー複合機本体１の下部に複数段配設された給紙トレイ３１、３２、３３、３４のいずれかから所定サイズのものが、フィードロール３５及びリタードロール３６等によって一枚ずつ分離された状態で、搬送ロール３７を備えた用紙搬送路３８を介して給紙される。そして、上記給紙トレイ３１、３２、３３、３４のいずれかから給紙された用紙３０は、レジストロール３９で一旦停止され、中間転写ベルト２５上の画像と同期して、当該レジストロール３９によって中間転写ベルト２５の二次転写位置へと再度給紙される。
【００４３】
そして、上記各色のトナー像が転写された用紙３０は、図２に示すように、定着装置４０によって熱及び圧力で定着処理を受けた後、搬送ロール４１によって、画像形成面を下にして記録媒体積載部としてのフェイスダウントレイ４２に排出するための第１の用紙搬送路４３を介して、当該第１の用紙搬送路４３の出口に設けられた排出ロール４４によって、装置本体１の上部に設けられたフェイスダウントレイ４２上に排出される。上記カラー複合機本体１の排出ロール４４が設けられた部分は、用紙３０をフェイスダウントレイ４２上に排出するための記録媒体排出部としての用紙排出部４５を構成している。
【００４４】
なお、上記記録媒体積載部としてのフェイスダウントレイ４２は、画像形成装置本体１の上部にスキャナユニット３を搭載して、前記画像形成装置本体１とスキャナユニット３とで形成される胴体の内部に設けられている。
【００４５】
また、上記の如く画像が形成された用紙３０を、画像形成面を上にして排出する場合には、図２に示すように、画像形成面を上にして第２の排出トレイとしてのファイスアップトレイ４６に排出するための第２の用紙搬送路４７を介して、当該第２の用紙搬送路４７の出口に設けられた排出ロール４８によって、複合機本体１の側部（図中、左側面）に設けられるフェイスアップトレイ４６上に排出されるようになっている。
【００４６】
なお、上記カラー複合機において、フルカラー等の両面コピーをとる場合には、図２に示すように、片面に画像が定着された用紙３０を、排出ロール４４によってフェイスダウントレイ４２上にそのまま排出せずに、図示しない切替ゲートによって搬送方向を切り替えるとともに、排出ロール４４を一旦停止させた後に逆転して、当該排出ロール４４によって両面用の用紙搬送路４９へと搬送する。そして、この両面用の用紙搬送路４９には、当該搬送路４９に沿って設けられた搬送ローラ５０により、用紙３０の表裏が反転された状態で、再度レジストロール３９へと搬送され、今度は、当該用紙３０の裏面に画像が転写・定着された後、第１の用紙搬送路４３又は第２の用紙搬送路４７を介して、フェイスダウントレイ４２又はフェイスアップトレイ４６のいずれかに排出される。
【００４７】
図２中、５１Ｙ、５１Ｍ、５１Ｃ、５１Ｋは、イエロー（Ｙ）、マジェンタ（Ｍ）、シアン（Ｃ）、ブラック（Ｋ）の各色の現像器１７に、所定の色のトナーを供給するトナーカートリッジを、５２は中転写ベルト２５上の転写残トナー等を除去するクリーニング装置をそれぞれ示している。
【００４８】
図３は上記カラー複合機の各画像形成ユニットを示すものである。
【００４９】
上記イエロー色、マジェンタ色、シアン色及び黒色の４つの画像形成ユニット１３Ｙ、１３Ｍ、１３Ｃ、１３Ｋは、図３に示すように、すべて同様に構成されており、これらの４つの画像形成ユニット１３Ｙ、１３Ｍ、１３Ｃ、１３Ｋでは、上述したように、それぞれイエロー色、マジェンタ色、シアン色及び黒色のトナー像が所定のタイミングで順次形成されるように構成されている。上記各色の画像形成ユニット１３Ｙ、１３Ｍ、１３Ｃ、１３Ｋは、上述したように、それぞれ感光体ドラム１５を備えており、この感光体ドラム１５の表面は、一次帯電用の帯電ロール１６によって一様に帯電される。その後、上記感光体ドラム１５の表面は、ＲＯＳ１４から画像データに応じて出射される画像形成用のレーザ光ＬＢが走査露光されて、各色に対応した静電潜像が形成される。上記感光体ドラム１５上に走査露光されるレーザ光ＬＢは、当該感光体ドラム１５の直下よりやや右側寄りの斜め下方から露光されるように設定されている。上記感光体ドラム１５上に形成された静電潜像は、各画像形成ユニット１３Ｙ、１３Ｍ、１３Ｃ、１３Ｋの現像器１７の現像ロール１７ａによってそれぞれイエロー色、マジェンタ色、シアン色、ブラック色の各色のトナーにより現像されて可視トナー像となり、これらの可視トナー像は、一次転写ロール２６の帯電によって中間転写ベルト２５上に順次多重に転写される。
【００５０】
なお、トナー像の転写工程が終了した後の感光体ドラム１５の表面は、クリーニング装置１８によって残留トナーや紙粉等が除去されて、次の画像形成プロセスに備える。上記クリーニング装置１８は、クリーニングブレード１８ａを備えており、このクリーニングブレード１８ａによって、感光体ドラム１５上の残留トナーや紙粉等を除去するようになっている。
【００５１】
ところで、この実施の形態では、画像形成装置本体に隣接して、当該画像形成装置本体で画像が形成された記録媒体に対して所定の後処理を施す後処理装置を設置した画像形成装置において、前記画像形成装置本体から後処理装置に記録媒体を搬送する搬送ユニット内の空気を吸引し、当該吸引された空気をフィルターを通して画像形成装置本体の外部に排気する吸引排気手段を備えるように構成されている。
【００５２】
また、この実施の形態では、前記搬送ユニットの上面に吸気口を設け、当該吸気口から搬送ユニット内の空気を吸引するように構成されている。
【００５３】
さらに、この実施の形態では、前記搬送ユニットの上方に位置する記録媒体排出部、または、記録媒体反転部の空気を、搬送ユニット内の空気と同一の吸気口から吸引するように構成されている。
【００５４】
すなわち、上記カラー複合機には、図１及び図２に示すように、その右側面に隣接して、当該カラー複合機で画像が形成された用紙３０に対して、穿孔処理や綴じ処理などの後処理を施す後処置装置５３が配設されている。上記カラー複合機の画像形成部Ａで画像が形成された用紙３０に対して後処理を施す場合は、画像が形成された用紙３０を、搬送ロール４１によって真上方向へ搬送し、用紙排出部４５の上部に配置された搬送方向切り替え部５４を介して、用紙３０を後処理装置５３へと搬送する搬送ユニット５５へ導入し、当該搬送ユニット５５を介して後処理装置５３へ搬送するように構成されている。
【００５５】
上記搬送ユニット５５は、表面板７１と裏面板７２とを所定の間隔をおいて平行に配置し、当該表面板７１と裏面板７２との間に用紙搬送用の通路７３を形成するとともに、当該通路７３に用紙３０を搬送するための図示しない搬送ローラ等を配置して構成されている。
【００５６】
また、上記搬送ユニット５５の上部には、当該搬送ユニット５５内の空気を吸引し、当該吸引された空気をフィルターを通してカラー複合機本体１の外部に排気する吸引排気手段６０が配設されている。
【００５７】
この吸引排気手段６０は、図１及び図２に示すように、搬送ユニット５５の上部に重ね合わせた状態で配置された吸引用のダクト６１を備えている。この吸引用ダクト６１は、板金等の金属によって、互いに平行に配置された表面板７４及び裏面板７５と、これらの外周を覆う側板７６とから、所定の厚さを有する扁平な箱体状に形成されているとともに、内部７７が中空に形成されている。なお、上記吸引用ダクト６１の裏面板７５と、搬送ユニット５５の表面板７１とは、別々に設ける必要は必ずしもなく、いずれか一方が他方を兼用するように構成しても勿論良い。
【００５８】
上記搬送ユニット５５の表面板７１及び吸引用ダクト６１の裏面板７５には、図２及び図４に示すように、当該搬送ユニット５５内の空気を吸引する複数の吸気口６２が開口されており、これらの吸気口６２は、吸引用ダクト６１の内部７７と連通されている。なお、上記吸気口６２は、手前側から奥側に向けたり、これと直交する方向に連続して開口しても勿論良い。
【００５９】
なお、上記吸引用ダクト６１の吸気口６２は、図５に示すように、搬送ユニット５５の表面板７１及び吸引用ダクト６１の裏面板７５のみではなく、搬送ユニット５５の裏面板７２にも設け、且つ用紙排出部４５及びフェイスダウントレイ４２のフロント側（手前側）に集中して設けるように構成しても良い。
【００６０】
この場合には、搬送ユニット５５内のみではなく、用紙排出部４５及びフェイスダウントレイ４２のフロント側（手前側）に集中して設けられた吸気口６２からも、集中的に吸気することができる。そのため、フェイスダウントレイ４２上に排出される用紙３０が、自重でフェイスダウントレイ４２上に落下する際に、当該用紙３０とフェイスダウントレイ４２との間に挟まれた空気が、逃げ場を失ってフェイスダウントレイ４２のフロント側（手前側）に排出された場合でも、当該フェイスダウントレイ４２のフロント側（手前側）に排出された空気を、用紙排出部４５のフロント側（手前側）に集中して設けられた吸気口６２から効果的に吸引することが可能となる。
【００６１】
また、上記吸気用ダクト６６には、図１及び図４に示すように、その一側面（右側面）の奥側端部に、排気部６４が吸引用ダクト６１の内部７７と連通するように連設されている。この排気部６４の内部には、図６及び図７に示すように、排気ファン６５とフィルター６６が収容されているとともに、その手前側の端面６７は、吸気部分にルーバー部７０が設けられている、なお、このルーバー部７０は、設けなくても勿論良い。また、上記排気部分６４の内部は、排気ファン６５の下流側が、当該排気ファン６５によって排出される空気の流れをフィルター６６全体に行き渡らせるように、仕切り壁６８によって広く形成されており、当該排気ファン６５によって排気される空気は、広がった後、フィルター６６を介して排気部６４の奥前側の端面６９に設けられた図示しないルーバー部を介して、外部に排出されるように構成されている。
【００６２】
また、上記フィルター６６としては、脱臭のためのフィルターと、揮発性有機化合物の吸着または分解のためのフィルターと、オゾンの吸着または分解能力のためのフィルターのうち、少なくとも２つのフィルターから構成されており、この実施の形態では、脱臭のためのフィルターと、揮発性有機化合物の吸着または分解のためのフィルターとから構成されている。
【００６３】
以上の構成において、この実施の形態に係るカラー複合機では、次のようにして、装置本体に対して後処理装置を併設した画像形成装置において、装置本体から後処理装置へ記録媒体を搬送する搬送ユニットから臭気や揮発性有機化合物が外部に漏れるのを防止し、設置環境に悪影響を与えるのを回避することが可能となっている。
【００６４】
すなわち、この実施の形態に係るカラー複合機では、図２に示すように、イエロー（Ｙ）、マジェンタ（Ｍ）、シアン（Ｃ）、ブラック（Ｋ）の各画像形成ユニット１３Ｙ、１３Ｍ、１３Ｃ、１３Ｋによって、イエロー（Ｙ）、マジェンタ（Ｍ）、シアン（Ｃ）、ブラック（Ｋ）の各色のトナー像が形成され、これらのイエロー（Ｙ）、マジェンタ（Ｍ）、シアン（Ｃ）、ブラック（Ｋ）色のトナー像は、中間転写ベルト２５上に多重に一次転写された後、当該中間転写ベルト２５から用紙３０上に一括して二次転写される。
【００６５】
そして、上記用紙３０上に一括して転写されたイエロー（Ｙ）、マジェンタ（Ｍ）、シアン（Ｃ）、ブラック（Ｋ）の各色のトナー像は、定着装置４０によって熱及び圧力で転写された後、排出ロール４４によって、用紙排出部４５から複合機本体１の上部に設けられた排紙トレイとしてのフェイスダウントレイ４２上に排出され、画像形成工程が終了する。
【００６６】
ところで、この実施の形態では、図１及び図２に示すように、カラー複合機によって画像が形成された用紙３０に対して、穿孔処理や綴じ処理などの後処理を施すために、当該カラー複合機本体１に隣接して後処理装置５３が併設されている。
【００６７】
上記後処理装置５３において、用紙３０に後処理を施す場合には、図１に示すように、カラー複合機によって画像が形成された用紙３０を、用紙排出部４５から複合機本体１の上部に設けられたフェイスダウントレイ４２上に排出せずに、用紙排出部４５の上部に設けられた搬送方向切り替え部５４を介して、用紙３０を搬送ユニット５５へと導入し、当該搬送ユニット５５を介して後処理装置５３へと搬送するようになっている。そして、上記用紙３０には、後処理装置５３によって穿孔処理や綴じ処理等の所定の後処理が施される。
【００６８】
このとき、上記定着装置４０によってイエロー（Ｙ）、マジェンタ（Ｍ）、シアン（Ｃ）、ブラック（Ｋ）の各色のトナー像を熱及び圧力で用紙３０上に定着する際に、トナー等から異臭や揮発性有機化合物（ＶＣＯ）が発生する。上記トナー等から発生した異臭や揮発性有機化合物（ＶＣＯ）は、図１に示すように、用紙３０が用紙排出部４５から搬送方向切り替え部５４を介して搬送ユニット５５へと導入されるに伴って、当該搬送ユニット５５の内部に排出される。
【００６９】
そこで、この実施の形態では、搬送ユニット５５の上面に吸気口６２が開口されているとともに、当該搬送ユニット５５の上部には、吸引用ダクト６１が配設されており、この吸引用ダクト６１の排気部６４内に設けられた排気ファン６５が駆動されるようになっている。
【００７０】
なお、この実施の形態では、排気ファン６５が画像形成動作の開始と同期して駆動され、画像形成動作が終了した後も一定時間だけ駆動するように構成されている。
【００７１】
そのため、上記定着装置４０によって未定着トナー像が用紙３０上に定着する際に発生した異臭や揮発性有機化合物は、用紙３０の移動に伴って、搬送ユニット５５の内部に排出されるが、この搬送ユニット５５の内部に排出された異臭や揮発性有機化合物は、直ちに、吸引用ダクト６１の吸気口６２から吸引され、図６及び図７に示すように、排気部６４内に設けられたフィルター６６によって吸引除去された状態で、排気ファン６５によってカラー複合機本体１の外部に排出されるようになっている。
【００７２】
このように、上記実施の形態に係るカラー複合機では、搬送ユニット５５の上面に吸気口が開口されており、当該吸気口から搬送ユニットの上部に配置された吸引用ダクトに吸引され、搬送ユニットの内部に排気される異臭や揮発性有機化合物を、搬送ユニットの吸気口から効率良く吸引して、フィルター６６によって除去した状態で、排気ファン６５によってカラー複合機本体１の外部に排出することができる。そのため、上記カラー複合機では、複合機本体１から後処理装置５３へ用紙３０を搬送する搬送ユニット５５から臭気や揮発性有機化合物が外部に漏れるのを防止し、設置環境に悪影響を与えるのを回避することが可能となっている。
【００７３】
実施の形態２
図８はこの発明の実施の形態２を示すものであり、前記実施の形態１と同一の部分には同一の符号を付して説明すると、この実施の形態２では、搬送ユニットが記録媒体載置部の上方ではなく、記録媒体載置部の位置に配置するように構成されている。
【００７４】
すなわち、この実施の形態では、図８に示すように、排出ロール４４によってフェイスアップトレイ４２上へと排出される用紙３０が、当該フェイスアップトレイ４２の位置に配置された搬送ユニット５５内へと導入され、当該搬送ユニット５５の内部７７を介して、後処理装置５３へと搬送されるように構成されている。
【００７５】
また、上記搬送ユニット５５の上面は、本来のフェイスアップトレイ４２の代わりに、フェイスアップトレイ８１として機能するように湾曲した形状に形成されている。この搬送ユニット５５の上面には、排出ロール４４ではなく、用紙搬送方向切り替え部５４を介して、当該用紙搬送方向切り替え部５４に設けられた補助の排出ロール８２によって、用紙３０が排出されるように構成されている。
【００７６】
さらに、上記搬送ユニット５５の上面を構成する表面板７１には、当該搬送ユニット５５内の空気を吸引する吸気口６２が開口されている。また、上記搬送ユニット５５の用紙排出部４５近傍の上方には、搬送ユニット５５の吸気口６２及び搬送ユニット５５の上方の空気を吸引する吸引排気手段６０が配設されている。
【００７７】
この吸引排気手段６０は、吸引用のダクトを備えずに、図６及び図７に示すような排気部６４によって、搬送ユニット５５の吸気口６２及び搬送ユニット５５上方の空気を直接吸引してフィルター６６を介して排気するように構成されている。
【００７８】
その他の構成及び作用は、前記実施の形態と同様であるので、その説明を省略する。
【００７９】
実施の形態３
図９はこの発明の実施の形態３を示すものであり、前記実施の形態１と同一の部分には同一の符号を付して説明すると、この実施の形態３は、前記搬送ユニットの下面に吸気口を設け、当該吸気口から搬送ユニット内の空気を吸引するように構成されている。
【００８０】
また、この実施の形態では、前記搬送ユニットの下方に位置する記録媒体排出部、または、記録媒体反転部の空気を、搬送ユニット内の空気と同一の吸気口から吸引するように構成されている。
【００８１】
すなわち、この実施の形態では、図９に示すように、前記実施の形態１と同様に、フェイスダウントレイ４２の上方に搬送ユニット５５が配設されているが、当該搬送ユニット５５の上面ではなく、搬送ユニット５５の下面に位置する裏面板７２に複数の吸気口６２が開口されている。
【００８２】
また、この実施の形態では、図１０に示すように、カラー複合機本体１のフェイスダウントレイ４２に対応した位置の用紙排出部４５の奥側（リア側）に、排気部６４の吸気口７０が開口されている。そして、上記カラー複合機本体１の吸気口７０からは、用紙排出部４５近傍の空気、及び搬送ユニット５５の複数の吸気口６２から空気を吸引するように構成されている。
【００８３】
さらに、上記カラー複合機本体１の内部には、図１１に示すように、吸気口７０から空気を吸引する吸引用のダクト６１が配設されており、当該吸引用ダクト６１には、排気ファン６５とフィルター６６とが設けられている。
【００８４】
このように、上記実施の形態３では、図９に示すように、搬送ユニット５５の下面に設けられた吸気口６２から、当該搬送ユニット５５内の空気を吸引するとともに、当該吸気口６２から吸引された空気は、複合機本体１に設けられた吸気口７０から、当該複合機本体１の内部に配設された吸引用ダクト６１を介して、排気ファン６５によって吸引され、フィルター６６を介して複合機本体１の外部に排気されるようになっている。
【００８５】
なお、上記排気ファン６５としては、例えば、複合機本体１内の空気を排気する排気ファンがそのまま用いられる。
【００８６】
上記フィルター６６としては、脱臭のためのフィルターと、揮発性有機化合物の吸着または分解のためのフィルターと、オゾンの吸着または分解能力のためのフィルターのうち、少なくとも２つのフィルターから構成されており、この実施の形態では、揮発性有機化合物の吸着または分解のためのフィルターと、オゾンの吸着または分解能力のためのフィルターの３つのフィルターから構成されている。
【００８７】
なお、上記フィルター６６としては、脱臭能力と、揮発性有機化合物の吸着または分解能力と、オゾンの吸着または分解能力のうち、少なくとも２つの能力を兼ね備えているものを用いるように構成しても良い。
【００８８】
その他の構成及び作用は、前記実施の形態と同様であるので、その説明を省略する。
【００８９】
実施の形態４
図１２はこの発明の実施の形態４を示すものであり、前記実施の形態１と同一の部分には同一の符号を付して説明すると、この実施の形態４は、前記搬送ユニットの後方から当該搬送ユニット内の空気を吸引するように構成されている。
【００９０】
すなわち、この実施の形態４では、図１２に示すように、搬送ユニット５５の上方または下方から、当該搬送ユニット５５内の空気を吸引するのではなく、搬送ユニット５５の後方（背面側）から当該搬送ユニット５５内の空気を吸引するように構成されている。
【００９１】
上記搬送ユニット５５の後方には、吸気口６２から開口されているとともに、吸引用ダクト６１が配設されており、当該吸引用ダクト６１を介して、排気部６４によって搬送ユニット５５内の空気を吸引して、フィルター６６を介して外部に排出するようになっている。
【００９２】
また、図１３に示すように、搬送ユニット５５の前面に開口部９０を設けることによって、当該開口部９０から外部の空気を吸引しつつ、搬送ユニット５５内の空気の流れが効率よい吸引を可能とするように構成しても良い。
【００９３】
このように、搬送ユニット５５の後方から当該搬送ユニット５５内の空気を吸引するように構成することによって、搬送ユニット５５の上方などに吸引用ダクト６１を配置した場合のように、搬送ユニット５５の上方の設置スペースが大きくなり、装置が大型化するのを防止することができる。なお、図１２、図１３中、９３は排気ダクトを示している。
【００９４】
その他の構成及び作用は、前記実施の形態と同様であるので、その説明を省略する。
【００９５】
実施の形態５
図１４はこの発明の実施の形態５を示すものであり、前記実施の形態１と同一の部分には同一の符号を付して説明すると、この実施の形態５は、前記搬送ユニットに排気ファンとフィルターを設置し、当該搬送ユニット内の空気をフィルターを通して排気するように構成されている。
【００９６】
すなわち、この実施の形態５では、図１４に示すように、搬送ユニット５５に排気ファン６５とフィルター６６を設置し、当該搬送ユニット５５内の空気をフィルター６６を通して外部に排気するように構成されている。上記排気ファン６５とフィルター６６、及びダクト９３は、搬送ユニット５５の搬送路スペース９４の背面側に設けられる図示しない搬送ローラ等を０駆動する駆動系を設置するスペース９５内に配設される。
【００９７】
この場合には、カラー複合機本体１側にフィルター等を設置する必要がないので、搬送ユニット５５そのものを他機種の画像形成装置に使用することが可能となる。
【００９８】
その他の構成及び作用は、前記実施の形態と同様であるので、その説明を省略する。
【００９９】
実施の形態６
図１５はこの発明の実施の形態６を示すものであり、前記実施の形態１と同一の部分には同一の符号を付して説明すると、この実施の形態６では、搬送ユニットの構成が前記実施の形態１と異なるように構成されている。
【０１００】
すなわち、この実施の形態６では、図１５に示すように、カラー複合機本体１の上部に、搬送ユニット５５が装着されるように構成されているが、この搬送ユニット５５は、搬送ロール４１によって用紙排出部４５の上方に搬送された用紙３０を、後処理装置５３まで搬送するのではなく、通常の用紙３０と同様に、用紙排出部４５の側面に設けられた排出ロール４４によって排出され用紙３０を、後処理装置５３まで搬送するように構成されている。
【０１０１】
上記搬送ユニット５５は、図１５に示すように、排出ロール４４の出口部に、用紙３０の搬送経路を上下に切り替える切替えゲート１０１を備えており、当該切替えゲート１０１は、排出ロール４４側の先端部が図示しないソレノイド等の駆動手段によって、上下方向に沿って回転するように構成されている。上記切替えゲート１０１は、カラー複合機で画像がプリントされた用紙３０を、当該カラー複合機本体１の上部に設けられた排紙トレイ４２上に排出する際、図１５に示す位置に停止しており、排出ロール４４によって排出され用紙３０を下方、つまり排紙トレイ４２側に案内するようになっている。
【０１０２】
一方、上記切替えゲート１０１は、カラー複合機で画像がプリントされた用紙３０を、後処理装置５３へと搬送する際には、図１６に示すように下方に回転し、排出ロール４４によって排出され用紙３０を上方、つまり搬送ユニット５５側へと案内するようになっている。
【０１０３】
上記搬送ユニット５５は、上述したように、カラー複合機本体１の上部に取り付け、又は取り外しが自在となるように装着されており、搬送ユニット５５の排出ロール４４側の上部には、当該排出ロール４４によって排出された用紙３０を、搬送ユニット５５内に案内するガイド板１０２が、湾曲した形状に配置されている。また、搬送ユニット５５の内部には、ガイド板１０２によって案内された用紙３０を、搬送するための搬送通路１０３が水平に設けられている。この搬送通路１０３は、上側のガイド部材１０４と、下側のガイド部材１０５とによって形成されており、これらの上下のガイド部材１０４、１０５は、用紙３０を水平方向に沿って案内するために、用紙３０の進行方向に沿って接触するものであって、用紙３０の上方は、搬送ユニット５５の上端面まで、空気が流通可能な空間となっている。
【０１０４】
また、上記搬送通路１０３の入口側には、図１５に示すように、用紙３０を挟んだ状態で搬送する上下一対のロールからなる第１の搬送ロール１０６が、図示しない駆動モータによって回転駆動されるように取り付けられているとともに、その出口側にも、用紙３０を挟んだ状態で搬送する上下一対のロールからなる第２の搬送ロール１０７が、図示しない駆動モータによって回転駆動されるように取り付けられている。さらに、上記搬送通路１０３の中央部には、用紙３０との接触抵抗を低減するため、用紙３０の裏面側にのみ接触して案内するガイドロール１０８が、下側にのみ回転自在に取り付けられている。
【０１０５】
さらに、この実施の形態６では、前記実施の形態１と同様に、搬送ユニット５５の上端面に、吸気口６２が複数（図示例では、３個）開口されており、これらの吸気口６２から搬送ユニット５５の搬送通路１０３内の空気を吸引するように構成されている。
【０１０６】
以上の構成において、この実施の形態６に係るカラー複合機では、次のようにして、装置本体に対して後処理装置を併設した画像形成装置において、装置本体から後処理装置へ記録媒体を搬送する搬送ユニットから臭気や揮発性有機化合物が外部に漏れるのを防止し、設置環境に悪影響を与えるのを回避することが可能となっている。
【０１０７】
すなわち、この実施の形態に係るカラー複合機では、図２に示すように、イエロー（Ｙ）、マジェンタ（Ｍ）、シアン（Ｃ）、ブラック（Ｋ）の各画像形成ユニット１３Ｙ、１３Ｍ、１３Ｃ、１３Ｋによって、イエロー（Ｙ）、マジェンタ（Ｍ）、シアン（Ｃ）、ブラック（Ｋ）の各色のトナー像が形成され、これらのイエロー（Ｙ）、マジェンタ（Ｍ）、シアン（Ｃ）、ブラック（Ｋ）色のトナー像は、中間転写ベルト２５上に多重に一次転写された後、当該中間転写ベルト２５から用紙３０上に一括して二次転写される。
【０１０８】
そして、上記用紙３０上に一括して転写されたイエロー（Ｙ）、マジェンタ（Ｍ）、シアン（Ｃ）、ブラック（Ｋ）の各色のトナー像は、定着装置４０によって熱及び圧力で転写された後、排出ロール４４によって、用紙排出部４５から複合機本体１の上部に設けられた排紙トレイとしてのフェイスダウントレイ４２上に排出され、画像形成工程が終了する。
【０１０９】
ところで、この実施の形態では、図１５に示すように、カラー複合機によって画像が形成された用紙３０に対して、穿孔処理や綴じ処理などの後処理を施すために、当該カラー複合機本体１に隣接して後処理装置５３が併設されている。
【０１１０】
上記後処理装置５３において、用紙３０に後処理を施す場合には、図１６に示すように、搬送ユニット５５の切替えゲート１０１を下方へと切替えて、カラー複合機によって画像が形成された用紙３０を、用紙排出部４５の排出ロール４４によって排出する際に、搬送ユニット５５の内部に導入するようになっている。
【０１１１】
上記排出ロール４４によって排出され、切替えゲート１０１によって搬送ユニット５５の内部に導入された用紙３０は、図１６に示すように、搬送ユニット５５内に設けられた用紙搬送路１０３に沿って第１及び第２の搬送ロール１０６、１０７により搬送され、第２の搬送ロール１０７によって後処理装置５３の内部へと搬送されるようになっている。そして、上記用紙３０には、後処理装置５３によって穿孔処理や綴じ処理等の所定の後処理が施される。
【０１１２】
このとき、上記定着装置４０によってイエロー（Ｙ）、マジェンタ（Ｍ）、シアン（Ｃ）、ブラック（Ｋ）の各色のトナー像を熱及び圧力で用紙３０上に定着する際に、トナー等から異臭や揮発性有機化合物（ＶＣＯ）が発生する。上記トナー等から発生した異臭や揮発性有機化合物（ＶＣＯ）は、図１６に示すように、用紙３０が用紙排出部４５から切替えゲート１０１を介して搬送ユニット５５へと導入されるに伴って、当該搬送ユニット５５の内部に排出される。
【０１１３】
そこで、この実施の形態では、図１６に示すように、搬送ユニット５５の上面に吸気口６２が開口されているとともに、当該搬送ユニット５５の上部には、吸引用ダクト６１が配設されており、この吸引用ダクト６１の排気部６４内に設けられた排気ファン６５が駆動されるようになっている。
【０１１４】
なお、この実施の形態では、排気ファン６５が画像形成動作の開始と同期して駆動され、画像形成動作が終了した後も一定時間だけ駆動するように構成されている。
【０１１５】
そのため、上記定着装置４０によって未定着トナー像が用紙３０上に定着する際に発生した異臭や揮発性有機化合物は、用紙３０の移動に伴って、搬送ユニット５５の内部に排出されるが、この搬送ユニット５５の内部に排出された異臭や揮発性有機化合物は、直ちに、吸引用ダクト６１の吸気口６２から吸引され、図１６に示すように、排気部６４内に設けられたフィルター６６によって吸引除去された状態で、排気ファン６５によってカラー複合機本体１の外部に排出されるようになっている。
【０１１６】
このように、上記実施の形態６に係るカラー複合機においても、搬送ユニット５５の上面に吸気口６２が開口されており、当該吸気口６２から搬送ユニット５５の上部に配置された吸引用ダクト６１に吸引され、搬送ユニット５５の内部に排気される異臭や揮発性有機化合物を、搬送ユニット５５の吸気口６２から効率良く吸引して、フィルター６６によって除去した状態で、排気ファン６５によってカラー複合機本体１の外部に排出することができる。そのため、上記カラー複合機では、複合機本体１から後処理装置５３へ用紙３０を搬送する搬送ユニット５５から臭気や揮発性有機化合物が外部に漏れるのを防止し、設置環境に悪影響を与えるのを回避することが可能となっている。
【０１１７】
その他の構成及び作用は、前記実施の形態と同様であるので、その説明を省略する。
【図面の簡単な説明】
【０１１８】
【図１】図１はこの発明の実施の形態１に係る画像形成装置としてのカラー複合機を示す要部構成図である。
【図２】図２はこの発明の実施の形態１に係る画像形成装置としてのカラー複合機を示す構成図である。
【図３】図３はこの発明の実施の形態１に係る画像形成装置としてのカラー複合機の画像形成部を示す構成図である。
【図４】図４は吸引用ダクトの吸気口を示す要部構成図である。
【図５】図５は吸引用ダクトの吸気口を示す要部構成図である。
【図６】図６は排気部を示す斜視構成図である。
【図７】図７は排気部を示す断面構成図である。
【図８】図８はこの発明の実施の形態２に係る画像形成装置としてのカラー複合機を示す要部構成図である。
【図９】図９はこの発明の実施の形態３に係る画像形成装置としてのカラー複合機を示す要部構成図である。
【図１０】図１０はこの発明の実施の形態３に係る画像形成装置としてのカラー複合機を示す要部構成図である。
【図１１】図１１はこの発明の実施の形態３に係る画像形成装置としてのカラー複合機を示す要部構成図である。
【図１２】図１２はこの発明の実施の形態４に係る画像形成装置としてのカラー複合機を示す要部構成図である。
【図１３】図１３はこの発明の実施の形態４に係る画像形成装置としてのカラー複合機の変形例を示す要部構成図である。
【図１４】図１４はこの発明の実施の形態５に係る画像形成装置としてのカラー複合機を示す要部構成図である。
【図１５】図１５はこの発明の実施の形態６に係る画像形成装置としてのカラー複合機を示す要部構成図である。
【図１６】図１６はこの発明の実施の形態６に係る画像形成装置としてのカラー複合機を示す要部構成図である。
【符号の説明】
【０１１９】
１：カラー複合機本体、３０：用紙、５３：後処置装置、５５：搬送ユニット、６０：吸引排気手段、６１：吸引用ダクト、６２：吸気口、６５：排気ファン、６６：フィルター。
【図１】
0004760600.tif 000002
【図２】
0004760600.tif 000003
【図３】
0004760600.tif 000004
【図４】
0004760600.tif 000005
【図５】
0004760600.tif 000006
【図６】
0004760600.tif 000007
【図７】
0004760600.tif 000008
【図８】
0004760600.tif 000009
【図９】
0004760600.tif 000010
【図１０】
0004760600.tif 000011
【図１１】
0004760600.tif 000012
【図１２】
0004760600.tif 000013
【図１３】
0004760600.tif 000014
【図１４】
0004760600.tif 000015
【図１５】
0004760600.tif 000016
【図１６】
0004760600.tif 000017